(57)【特許請求の範囲】
【請求項１】
被写体を撮像するとともにこの撮像に係る撮像情報を出力する撮像手段と、前記撮像情報を記録媒体に書き込んで記録する撮像情報記録手段と、前記記録媒体への書き込み開始と書き込み停止を制御する書き込み制御手段とを備えた撮像情報記録装置において、
予め設定される時間の書き込み作動と、予め設定される時間の書き込み停止とを交互に繰り返して前記記録媒体に間欠的に撮像情報の記録を行う間欠記録制御手段と、
前記記録媒体の残り記録可能量を検出する残量検出手段と、
この残量検出手段で検出される残り記録可能量に基づいて、前記記録媒体への記録を行う際の書き込み作動時間及び書き込み停止時間を設定する自動記録時間設定手段と、
を備えることを特徴とする撮像情報記録装置。
【発明の詳細な説明】
【０００１】
【発明の属する技術分野】
本発明は、ビデオカメラなどの撮像情報記録装置に関し、詳しくは、被写体を撮像するとともにこの撮像に係る撮像情報を出力する撮像手段と、前記撮像情報を記録媒体に書き込んで記録する撮像情報記録手段と、前記記録媒体への書き込み開始と書き込み停止を制御する書き込み制御手段とを備えた撮像情報記録装置に関する。
【０００２】
【従来の技術】
ビデオカメラにおいて、例えば植物の成長を観察する撮影を行いたい場合に、被写体に対して長時間カメラを固定した状態で短時間の撮影と比較的長時間の撮影停止とを交互に行うことで間欠的に撮影する使い方があるが、従来、ビデオカメラ自体にその間欠的な撮影の機能を有するものがなかった。
【０００３】
【発明が解決しようとする課題】
従って、従来においては、その間欠的な撮影を行うにはビデオカメラを制御する機能を備える外付けの制御機器を別途準備しなければならなかった。このため、撮影機材全体として大規模なものになるとともに、撮影段階でその制御機器を別途準備する手間がかかるものであった。さらに、そのような制御機器を別に設けることによりコスト高を招くという問題があり、これらの問題を解決することが要求されている。
【０００４】
本発明は、前記従来の問題点を解決するものであって、装置全体として小型化できるとともに、撮影の準備など段取りを簡易なものにでき、また従来から備える撮影機能に新たな装置を追加することなく新規な撮影機能が付加されるようにした撮像情報記録装置を提供することを目的とする。
【０００５】
【課題を解決するための手段】
この課題を解決するために本発明は、被写体を撮像するとともにこの撮像に係る撮像情報を出力する撮像手段と、前記撮像情報を記録媒体に書き込んで記録する撮像情報記録手段と、前記記録媒体への書き込み開始と書き込み停止を制御する書き込み制御手段とを備えた撮像情報記録装置において、予め設定される時間の書き込み作動と、予め設定される時間の書き込み停止とを交互に繰り返して前記記録媒体に間欠的に撮像情報の記録を行う間欠記録制御手段と、前記記録媒体の残り記録可能量を検出する残量検出手段と、この残量検出手段で検出される残り記録可能量に基づいて、前記記録媒体への記録を行う際の書き込み作動時間及び書き込み停止時間を設定する自動記録時間設定手段とを備えるものである。
【０００６】
これにより、ビデオカメラなどの撮像情報記録装置が間欠記録制御手段を備えるようにしたものであるから、人が間欠記録の時間管理をわざわざ行わなくても、またその間欠記録を行う専用の外付けの機器を用いることなく、そのビデオカメラのみ使って所望の間欠記録を行えるものが得られる。さらに、その間欠記録の仕方についても、その撮像情報記録装置において備えられる撮影に関するソフトウエアによって撮影時間や撮影停止時間を所望のものに設定することも容易に行え、撮像情報記録装置に別途制御装置をハード面で付加しなくても良いものにできる。
特に、本発明では、前記の間欠記録制御手段に加えて、記録媒体の残り記録可能量を検出する残量検出手段と、この残量検出手段で検出される残り記録可能量に基づいて前記記録媒体への記録を行う際の書き込み作動時間及び書き込み停止時間を設定する自動記録時間設定手段とを備えているから、記録媒体の残り記録可能量を無視して撮像するよりも、その残り記録可能量を考慮して書き込み作動時間と書き込み停止時間とを適宜に自動的に割り振ることによって、記録媒体を無駄なく利用できるとともに、その書き込み作動時間と書き込み停止時間の算出に人手がかからないという作用を有する。
【０００７】
【発明の実施の形態】
本発明の請求項１に記載の発明は、被写体を撮像するとともにこの撮像に係る撮像情報を出力する撮像手段と、前記撮像情報を記録媒体に書き込んで記録する撮像情報記録手段と、前記記録媒体への書き込み開始と書き込み停止を制御する書き込み制御手段とを備えた撮像情報記録装置において、予め設定される時間の書き込み作動と予め設定される時間の書き込み停止とを交互に繰り返して前記記録媒体に間欠的に撮像情報の記録を行う間欠記録制御手段と、前記記録媒体の残り記録可能量を検出する残量検出手段と、この残量検出手段で検出される残り記録可能量に基づいて前記記録媒体への記録を行う際の書き込み作動時間及び書き込み停止時間を設定する自動記録時間設定手段とを備えるとしたものであり、間欠記録を行いたい場合には、その撮像情報記録装置に備えられた間欠記録制御手段によって間欠記録を行わせることができ、人が間欠記録の時間管理をわざわざ行わなくても良いとともに、間欠記録を行う専用の機能を備える制御機器を別途用意しなくても良いという作用を有する。
しかも、記録媒体の残り記録可能量を考慮して書き込み作動時間と書き込み停止時間とを適宜に自動的に割り振ることによって、記録媒体を無駄なく利用できるとともに、その書き込み作動時間と書き込み停止時間の算出に人手がかからない。
【０００９】
上記請求項１に記載の撮像情報記録装置において、前記記録媒体を磁気テープで構成するとともに、この磁気テープへの書き込み作動を停止したときからの書き込み停止時間を測定する非記録時間測定手段を設け、前記書き込み作動停止した時からの書き込み停止時間が予め設定されているテープ保護移行開始時間よりも長いことが検出されると前記磁気テープを保護する状態に移行させ、前記書き込み作動停止時間の経過時点近くにおいて前記磁気テープに書き込み可能な状態に移行させる磁気テープ保護手段を設けるようにすると、書き込み作動を停止している時間が比較的長時間となるときには、例えば自動的に磁気テープをシリンダなどの撮像情報記録手段の記録位置から退避させたり、あるいはシリンダが停止するようその回転駆動用の電源をオフ状態にしたりする保護状態にすることで、回転作動しているシリンダに磁気テープが接触しないように図っているので、磁気テープの寿命を長くでき、その耐久性を高めるとともに、書き込み作動するときには自動的に磁気テープへの書き込みが可能な状態に移行するので利便性があるという作用を有する。
【００１０】
また、上記請求項１に記載の撮像情報記録装置において、被写体撮像用の照明装置に対して点灯及び消灯作動させる照明制御手段を設け、この照明制御手段は、前記記録媒体への書き込みを開始する時点近くで前記照明装置を点灯作動させ、前記記録媒体への書き込みを停止する時点近くで前記照明装置を停止させるように構成すると、実際に撮像及び記録する必要のあるときにのみ、照明装置を点灯させ、不要のときは、無駄に電力を消費しないよう、照明装置を自動的に消灯させておくことができるとともに、人がわざわざ点灯や消灯する手間も省けるという作用を有する。また、本制御手段は照明装置のオン／オフだけでなく、記録タイミングで動作し、記録停止タイミングでオフする装置のオン／オフにも利用できることは言うまでもない。
【００１１】
上記請求項１に記載の撮像情報記録装置において、前記撮像手段による撮像の画角を変更調節する画角調節制御手段を設けるとともに、この画角調節制御手段は、前記記録媒体への間欠記録の条件に応じて画角を変更調節できるように構成した場合は、例えば植物の成長を小さな苗の状態から撮像していくような場合に、望遠により比較的狭い画角で撮像し、ある程度の回数の撮像及び記録を間欠的に行って、被写体がその画角内に収まらなくなってきたら、広角の画角で撮像するように、自動的にズーム調整を行えるので、間欠的な撮像の場合でも最適な画角で人が調整しなくても自動的に画角調整を行って撮像できるという作用を有する。
【００１２】
上記請求項１に記載の撮像情報記録装置において、前記記録媒体に撮像情報が記録されるごとに該記録媒体に別に記録される実時間情報に基づいて、撮像情報を検索する検索手段を設けた場合には、記録媒体に記録した後において、撮像情報を検索したい場合に、その撮像が行われた実時間を検索入力とすることで簡単に所望の撮像情報を検索でき、必要ならばその撮像情報の再生も図れるという作用を有する。
【００１３】
上記請求項１に記載の撮像情報記録装置において、前記記録媒体への書き込み作動時間又は書き込み停止時間を変更調節できる記録時間変更手段を設けるとともに、この記録時間変更手段は、書き込み作動時の時刻に応じて前記書き込み作動時間又は書き込み停止時間を変更可能に構成すると、任意に書き込み作動時間と書き込み停止時間とを変更調節可能であるから、撮像対象の被写体や、その撮像を行う時刻等の諸条件に応じて最適な間欠撮影が行えるようにできるという作用を有する。
【００１５】
上記請求項１に記載の撮像情報記録装置において、間欠的に書き込み作動及び書き込み停止を繰り返す間欠作動モードと、通常の記録を行う通常作動モードとにモード切替を行うためのモード変更用操作手段を設けているとした場合は、このモード変更用操作手段、例えばキー操作によってモード変更できるようにすることで、例えば通常作動モードで撮像したい場合に誤って間欠作動モードにしてしまう等の誤作動も回避できるという作用を有する。
【００１６】
上記請求項１に記載の撮像情報記録装置において、間欠的に書き込み作動及び書き込み停止を繰り返す間欠作動モードのときに、この間欠作動モード状態であることを報知する報知手段を設けている場合は、例えばビデオカメラのビューファインダにその間欠作動中か否か、また、間欠作動中であっても書き込み停止時であることを表示するなどして報知できるので、間欠作動中であるにもかかわらず、単なる停止状態であると誤ってビデオカメラなどを移動させてしまうような不具合を回避できるいう作用を有する。
【００１７】
以下、本発明の一実施の形態であるビデオカメラについて図面に基づいて説明する。ここで、図１は本発明の一実施の形態におけるブロック図である。
【００１８】
図１に示すように、このビデオカメラは、被写体を撮像するとともにその撮像されて得られた撮像情報を出力する撮像手段Ｓとしてのレンズユニット１、及び、撮影映像を光電変換する撮像管あるいは固体撮像素子からなる撮像情報変換部２を設けているとともに、この撮像情報変換部２から出力される撮像情報を入力して、記録媒体としての磁気テープ３に記録するための情報に変換し、その記録するための制御を行う書き込み制御手段としての主制御回路４を設けている。この主制御回路４は、入力された撮像情報を磁気テープ３に記録し、この磁気テープ３の記録された撮像情報を再生するヘッド５を記録作動や再生作動させる記録回路６と信号のやり取りができるように接続されている。ここで、ヘッド５及び記録回路６は撮像情報記録手段Ｗを構成している。
【００１９】
そして、主制御回路４には、撮影者が撮影の開始と停止を指令して通常の連続的な撮影及びその撮影の記録を行う撮影モード（通常作動モードという）と、所定時間の撮影を行った後別の所定時間撮影停止することを交互に繰り返して行う間欠作動モードとにモード設定が行える手段を備えている。以下、間欠作動モードでの撮影及びその撮影の磁気テープ３への記録を行う構成について説明する。
【００２０】
図１に示すように、書き込み作動している時間を測定するための記録時間測定手段としての記録時間カウンタ７、書き込み作動を停止している時間を測定するための非記録時間測定手段としての非記録時間カウンタ８のそれぞれを備えるとともに、記録時間カウンタ７、非記録時間カウンタ８のそれぞれの出力信号が主制御回路４に入力される。また、主制御回路４は、記録時間カウンタ７、非記録時間カウンタ８をリセットする信号を出力する。記録時間カウンタ７、非記録時間カウンタ８に対して、それぞれがカウントする書き込み作動している時間（以下、記録作動時間という）、書き込み作動を停止している時間（非記録作動時間という）を予め設定し、その設定情報を記録時間カウンタ７、非記録時間カウンタ８に入力する時間設定手段９を設けている。この時間設定手段９は、ビデオカメラの外装ケース部に設けた記録時間設定用スイッチと、非記録時間設定用スイッチとを操作する（この両スイッチは一つのスイッチで兼用されても良く、またソフトウエアにより記録時間も非記録時間も適宜設定できる）ことによって、所望の記録作動時間、所望の非記録作動時間を設定できる。また、後述のように、主制御回路４内で作成された記録作動時間、非記録作動時間の情報が入力されて、それらの時間が時間設定手段９に設定されることもある。ここで、主制御回路４、記憶時間カウンタ７、非記録時間カウンタ８、及び時間設定手段９は間欠記録制御手段Ａを構成している。
【００２１】
そして、図１に示すように、前記外装ケース部には、キーＫで操作される間欠記録を行う間欠作動モードと通常の記録を行う通常作動モードとを択一的に選択して切り換えるためのモード切換スイッチ１０を設けている。このモード切換スイッチ１０からのモード切換信号は、主制御回路４に入力されて、主制御回路４が間欠作動モードでの制御を行うか通常作動モードでの制御を行うかが設定されるようになっている。ここで、キーＫ、モード切換スイッチ１０及び主制御回路４はモード変更用操作手段Ｔを構成している。
【００２２】
前記時間設定手段９は、間欠作動モードのときに、磁気テープ３がヘッド５を備えるシリンダに対して書き込み可能位置から退避した、つまり非書き込み時には待機してテープがシリンダと接触しないよう保護される保護位置に自動的に移行するようにするための保護位置移行時間を設定できるようにしている。詳述すると、テープ移行時間カウンタ１１を設けているとともに、このテープ移行時間カウンタ１１に前記時間設定手段９から保護位置移行時間情報が入力されており、テープ移行時間カウンタ１１は、主制御回路４からの信号により、前記非記録時間カウンタ８がリセットされると同時にリセットされるようになっている。そして、主制御回路４は、テープ移行時間カウンタ１１からのカウントアップ信号が非記録時間カウンタ８からのカウントアップ信号より先に入力されるに伴い、磁気テープ３をシリンダとの接触が回避できる保護位置に退避させる制御を行う。すなわち、書き込み作動停止状態となってからの非記録時間が時間設定手段９において予め設定されている保護位置移行時間よりも長いときには、主制御回路４は、磁気テープ３を保護位置に移行させるよう、磁気テープ３を記録位置と保護位置との間で移動操作するためのテープ移動用駆動装置１２を制御するのである。なお、テープ移行時間カウンタ１１からのカウントアップ信号が非記録時間からのカウントアップ信号より先に入力された場合に、磁気テープ３を保護位置に移行させるものを示したが、シリンダの回転駆動を停止するようにして、磁気テープ３の保護を図るようにしても良い。ここで、主制御回路４、テープ移行時間カウンタ１１、及び時間設定手段９等は磁気テープ保護手段Ｊを構成している。
【００２３】
ここまでの実施の形態について図２のフローチャートに基づいて説明する。ステップＳ１において間欠作動モードであるか否か判断する。すなわち、モード変換用操作手段ＴにおけるキーＫの操作でモード切換スイッチ１０を通常作動モードから間欠作動モードに切り換えることによって、ステップＳ１では間欠作動モードであると判断し、通常作動モードのままであると間欠作動モードでないと判断する。ステップＳ１で間欠作動モードであると判断されると、ステップＳ２で、撮像情報の書き込み作動を行う。すなわち、撮像を開始するとともに、記録時間カウンタ７により時間測定が開始され、撮像情報を磁気テープに書き込みする。そして、ステップＳ３で書き込み作動時間、つまり時間設定手段９により設定されている前記記録時間が記録時間カウンタ７によってカウントアップされているか否か判断され、否のときは撮像情報書き込み作動を続け、カウントアップされているときはステップＳ４の撮像情報の書き込みを停止するとともにその停止時から非記録時間を非記録時間カウンタ８により測定開始し、さらにその停止時から前記テープ移行時間をテープ移行時間カウンタ１１により測定開始する。その書き込み停止に次いで、ステップＳ５において、テープ移行時間カウンタ１１でテープ移行時間がカウントアップされたことが判断されると、磁気テープ３を書き込み位置から退避させるテープ保護を行う（ステップＳ６）。さらに、ステップＳ７において、書き込み停止時間、つまり非記録時間が非記録時間カウンタ８でカウントアップされたことが判断されると、テープ保護状態を解除し(ステップＳ８)、ステップＳ１へ戻り、間欠作動モードが継続しているときは、ただちにステップＳ２に移行して、間欠撮像及び記録を継続して行うことになる。ただし、磁気テープ３を記録が完了し、磁気テープ３の巻き取りも終了した場合にも自動的に記録作動そのものを停止することになる。
【００２４】
次に、間欠作動モードのときに、被写体の照明を行う照明装置１３を撮像時は点灯状態にする一方、撮像を停止しているときには消灯する制御について説明する。ビデオカメラが間欠作動モードに設定されているときに、照明装置１３を点灯又は消灯を行えるようにする照明装置１３の電源装置１４に制御信号を主制御回路４が出力するように構成している。すなわち、主制御回路４は、間欠作動モードになっているときは、記録時間カウンタ７からのカウントアップ信号が得られると、磁気テープ３の書き込みを停止し、非記録時間カウンタ８で書き込みを停止している時間のカウントを開始する。その開始の際には、点灯状態の照明装置１３を消灯するための制御信号を、照明装置１３の電源装置１４に出力する。次に、主制御回路４は、非記録時間カウンタ８からのカウントアップ信号が得られると、磁気テープ３への書き込みを開始し、記録時間カウンタ７で書き込み作動している時間のカウントを開始する。その開始の際には、消灯状態の照明装置１３を点灯するための制御信号を、照明装置１３の電源装置１４に出力する。尚、点灯のタイミングを、磁気テープ３への書き込みを開始するよりも幾分例えば数秒程度早くしても良い。また、逆に、消灯するタイミングは、磁気テープ３への書き込みを停止した時点より幾分遅くしても良い。なお、間欠モードのときに、上記のように照明装置を点灯または消灯を自動的に行う機能は、撮像情報記録装置に必ずしも設けなければならないものではない。ここで、主制御回路４は照明制御手段Ｃを構成している。
【００２５】
本実施の形態では、間欠作動モードのときにおいて、撮像手段における画角を記録の状況に応じて自動的に変更する画角調節制御手段１５を主制御回路４に設けている。この画角調節制御手段１５は、例えば植物の成長を長期にわたって観測する場合に、始めのうちは植物の成長初期であることから、書き込み作動回数が所定数以下の間は、画面内に被写体を大きく撮像できるようにレンズユニット１を小さい画角状態つまり望遠状態に設定し、書き込み作動回数が所定回数を超えると、前記望遠状態より標準がわに画角を大きくとるよう、レンズユニット１のズームを調整することが自動的に行えるようにしている。尚、撮像手段の画角変更は、画角が大きい状態から小さい状態への変更も可能であるとともに、書き込み作動回数を条件として画角の変更を行うものに限定されるのでない。例えば、撮像時刻、被写体の撮像画面内における位置、被写体の撮像画面内に占める面積の大小などの各種の変更条件が考えられる。なお、この画角調節制御手段は、撮像情報記録手段に必ずしも設けなければならないものではない。
【００２６】
また、本実施の形態においては、間欠作動モードに設定されているときに、ビデオカメラに設けられているビューファインダのモニターＭに、間欠作動モードの状態であることを表示する報知手段１６を設けている。すなわち、間欠作動モードのときには、モニターＭに「間欠記録中」などのメッセージがスーパーインポーズで表示されるのであり、さらに、間欠作動モードのときで、撮像を停止しているときには間欠記録状態でかつ撮像停止状態であることを表示できるようにしている。報知手段は、映像による表示の他に、音声などで報知できるようにしても良い。なお、報知手段は、撮像情報記録装置に必ずしも設けなければならないものではない。
【００２７】
本実施の形態では、撮像情報記録装置が間欠作動モードにある状態で、時刻に応じて間欠作動時の書き込み作動時間や書き込み停止時間を変更調節する記録時間変更手段１７を主制御回路４に設けている。具体的には、一日のうち、特定の時間帯に開花する花を観察するような場合に、その花が開花する時間帯のときは、書き込み作動時間を比較的長いものに設定し、その時間帯以外では書き込み作動時間を短くするなどの使い方ができるようにする。そのため、記録時間変更手段１７においては、時計機能を有する計時手段１８を設けているとともに、この計時手段１８からの時刻情報に基づいて、一日における予め設定した時間帯にのみ所定の書き込み作動時間で書き込みを行い、それ以外の時間帯においては、異なる書き込み作動時間で書き込みを行うように設定するのである。なお、一日を一単位として異なる時間帯で書き込み作動時間を変更できるようにするものに限らず、複数日を一単位としても良い。なお、記録時間変更手段１７は、撮像情報記録装置に必ずしも設けなければならないものではない。
【００２８】
次に、このように間欠記録された撮像情報を検索するための検索手段１９について説明する。磁気テープ３には、撮像情報を記録すると同時に、その撮像を行っているときの実時間（実際の時刻）もタイムコードとして記録している。従って、記録されたフレーム単位に、何時何分何秒の撮像記録であることが磁気テープ３に記録される。主制御回路４に設けられている検索手段１９は、検索指令が入力されると、主制御回路４は検索モードに設定され、磁気テープ３を巻き戻す又は早送りしながら、入力された実時間をタイムコード検索用の磁気ヘッドＨにより検索し、所望実時間が記録されたタイムコードから検索されると、磁気テープ３の送りを停止する。そして、検索後に再生することで所望の撮像映像をモニター等で見ることができる。従って、間欠的に記録された撮像情報を後で検索するときには、その撮像情報と対応関係にある撮像時刻を検索することで所望の撮像情報を得ることが可能であり、オペレータがモニター等を通して画像を目視しながら検索するよりも迅速簡単な検索ができる。さらに、検索指令として入力された実時間情報に対応する撮像情報の記録が磁気テープ３にない場合でも、その入力された実時間情報に最も近い実時間位置を自動的に検索できるようにしていることで、撮影時の実時間の認識が曖昧なときでも、所望の撮像情報の検索が可能となっている。なお、検索手段１９は、撮像情報記録装置に必ずしも設けなければならないものではない。
【００２９】
次に、磁気テープ３の残り記録可能量を判断して、自動的に間欠的な撮像の書き込み作動時間と、書き込み停止時間とを作成する作動時間等自動算出手段２０について説明する。この作動時間等自動算出手段２０は、主制御回路４に設けられているとともに、磁気テープ３が撮像情報記録装置におけるカセット装填部に装填されると同時に自動的に早送りをした後、自動的にカセット装填時の記録位置に戻るようにして、ＴＣＬコード等の読み取りによって残り記録可能量を算出する残量検出手段２１を設けている。次いで、この残量検出手段２１で検出されたその残り記録可能量に基づいて被写体の撮像を継続する時間が予め入力され、その撮像継続時間に対して、撮像回数を自動的に算出し、さらに、その撮像回数にあわせて書き込み作動時間を算出し、それにあわせて書き込み作動を行っていない書き込み非作動時間も算出している。具体的には、２４時間継続して、間欠的な撮像を行いたいときに、撮像の書き込み作動時間を１０秒程度に設定した場合、残り記録可能量が６０分ならば、撮影回数を３６０回と算出し、その３６０で２４時間を割って得られる２４０秒ごとの撮影となるので、書き込み非作動時間は２３０秒と算出され、それに基づいて間欠記録が自動的におこなわれる。
【００３０】
尚、上記実施の形態では、磁気テープを記録媒体とするものを示したが、記録媒体としては、磁気ディスク、光ディスクなどを利用するものでも良い。
【００３１】
上記実施の形態では、書き込み作動している時間と、書き込み作動を停止している時間とをそれぞれ測定して、予め設定された時間が測定されると、書き込み作動から非作動へ、また非作動から書き込み作動へと切り換えるものを示したが、予め一サイクルの時間を設定しておいて、そのサイクルの始めの所定時間書き込み作動し、その後は非作動時間を測定しないでも良いようにする構成であっても良い。
【００３２】
【発明の効果】
以上のように、本発明によれば、ビデオカメラ等の撮像情報記録手段そのものに間欠的な撮像を行い記録することのできる機能を備えるようにしたものであるから、別途その機能を有する専用の機器が不要となるので、撮影作業が簡易になるとともに、低コストのものにできる。
しかも、間欠的な撮像の設定を行う場合、記録媒体の残り記録可能量を考慮して、自動的に書き込み作動時間と書き込み停止時間とを適宜に割り振られるから、記録媒体を無駄なく利用できるとともに、その書き込み作動時間と書き込み停止時間の算出に人手がかからず、使用に便利である。
【図面の簡単な説明】
【図１】本発明の一実施の形態における撮像情報記録装置のブロック図
【図２】本発明の一実施の形態における間欠作動モードのフローチャート
【符号の説明】
３    磁気テープ
４    書き込み制御手段
７    記録時間測定手段
８    非記録時間測定手段
９    時間設定手段
１３  照明装置
１５  画角調節制御手段
１６  報知手段
１７  記録時間変更手段
１９  検索手段
２１  残量検出手段
Ａ    間欠記録制御手段
Ｃ    照明制御手段
Ｊ    磁気テープ保護手段
Ｓ    撮像手段
Ｔ    モード変更用操作手段
Ｗ    撮像情報記録手段
【図１】
0003640871.tif 000002
【図２】
0003640871.tif 000003